(57)【要約】【課題】放射性物質の冷却装置及び高レベル放射性廃棄物の冷却システムにおいて、装置の大型化を抑制しながらも放射性物質を適正に冷却することで安全性を向上可能とする。【解決手段】高レベル放射性廃棄物を貯留する貯槽１１と、この貯槽１１内に配置されて高レベル放射性廃棄物の崩壊熱により低沸点媒体を蒸発可能な蒸発器３２と、蒸発器３２に対して低沸点媒体を循環可能な低沸点媒体ポンプ３４を有する低沸点媒体循環経路３３と、低沸点媒体循環経路３３に設けられて気体となった低沸点媒体により駆動可能なタービン３６と、タービン３６の駆動力により発電可能であると共に発電した電力により低沸点媒体ポンプ３４を駆動可能な発電機３７とを設ける。【選択図】図１
2014081207.tif 000002
【特許請求の範囲】
【請求項１】
放射性物質を貯留する容器と、
前記容器内に配置されて前記放射性物質の崩壊熱により低沸点媒体を蒸発可能な蒸発器と、
前記蒸発器に対して前記低沸点媒体を循環可能なポンプを有する循環経路と、
前記循環経路に設けられて気体となった前記低沸点媒体により駆動可能なタービンと、
前記タービンの駆動力により発電可能であると共に発電した電力により前記ポンプを駆動可能な発電機と、
を有することを特徴とする放射性物質の冷却装置。
【請求項２】
前記循環経路は、前記タービンを駆動した後の前記低沸点媒体を冷却する凝縮器を有することを特徴とする請求項１に記載の放射性物質の冷却装置。
【請求項３】
前記循環経路における前記ポンプより下流側に冷却器が設けられることを特徴とする請求項１または２に記載の放射性物質の冷却装置。
【請求項４】
前記発電機は、二次電池が接続されており、前記二次電池の電力により前記タービンを駆動可能であることを特徴とする請求項１から３のいずれか一つに記載の放射性物質の冷却装置。
【請求項５】
前記発電機は、前記タービンの駆動力により発電した電力を前記二次電池に蓄電可能であることを特徴とする請求項４に記載の放射性物質の冷却装置。
【請求項６】
前記容器に貯留された前記放射性物質を冷却可能な冷却器が設けられ、前記冷却器の非常時に、前記発電機により前記タービンを駆動することを特徴とする請求項１から５のいずれか一つに記載の放射性物質の冷却装置。
【請求項７】
前記容器に貯留された前記放射性物質を冷却可能な冷却器が設けられ、前記冷却器の作動と併行して前記蒸発器により気体となった前記低沸点媒体により前記タービンを駆動することを特徴とする請求項１から３のいずれか一つに記載の放射性物質の冷却装置。
【請求項８】
前記放射性物質は、使用済核燃料の再処理工程で発生する高レベル放射性廃棄物であり、前記容器としての貯槽に貯留されることを特徴とする請求項１から７のいずれか一つに記載の放射性物質の冷却装置。
【請求項９】
前記放射性物質は、原子炉で使用された使用済核燃料であり、前記容器としての燃料貯蔵プールに貯留されることを特徴とする請求項１から７のいずれか一つに記載の放射性物質の冷却装置。
【請求項１０】
使用済核燃料の再処理工程で発生する高レベル放射性廃棄物を貯留する貯槽と、
前記貯槽に貯留された高レベル放射性廃棄物を冷却可能な第１冷却装置と、
前記第１冷却装置に電力を供給する電源装置と、
前記電源装置の喪失時に前記第１冷却装置に電力を供給する非常用電源装置と、
前記貯槽内に配置されて前記高レベル放射性廃棄物の崩壊熱により低沸点媒体を蒸発可能な蒸発器と、
前記蒸発器に対して前記低沸点媒体を循環可能なポンプを有する循環経路と、
前記循環経路に設けられて気体となった前記低沸点媒体により駆動可能なタービンと、
前記タービンの駆動力により発電可能であると共に前記非常用電源装置の喪失時に前記ポンプを駆動可能な発電機と、
を有することを特徴とする高レベル放射性廃棄物の冷却システム。
【発明の詳細な説明】
【技術分野】
【０００１】
本発明は、核燃料の再処理工程で発生する高レベル放射性廃棄物や原子炉で発生する使用済核燃料などの放射性物質を冷却するための放射性物質の冷却装置、並びに、高レベル放射性廃棄物の冷却システムに関するものである。
【背景技術】
【０００２】
原子力発電プラントに使用される原子炉として、加圧水型原子炉や沸騰型原子炉などがある。このような原子炉では、内部に多数の燃料集合体（核燃料）を配置すると共に、軽水を原子炉冷却材及び中性子減速材として使用し、核燃料が核分裂することで発生した熱により軽水を加熱し、この加熱された軽水（蒸気）により発電を行っている。
【０００３】
この核燃料は、原子炉で使用すると、ウラン２３５が核分裂して異なる物質、例えば、セシウム、ストロンチウム、ヨウ素、キセノンなどになって減損していくことから、所定期間経過すると定格の出力を出せなくなる。そのため、使用済の核燃料を原子炉から取り出し、再処理施設での再処理が必要となる。即ち、まず、原子炉で使用済みになった核燃料を使用済燃料輸送容器（キャスク）に入れて再処理施設に搬送し、貯蔵プールで冷却しながら貯蔵する。次に、放射能が低下した使用済核燃料を細かくせん断し、燃料の部分を硝酸で溶かしてウラン、プルトニウム、核分裂生成物に分離する。そして、ウラン溶液とプルトニウム溶液を精製、脱硝してウラン酸化物とウラン・プルトニウム混合酸化物の２種類の製品を作る。一方、再処理工程で生じた核分裂生成物を含む廃液は、強い放射能を帯びていることから高レベルの放射性廃棄物となり、貯槽で冷却してからガラス材料により固化された後、キャニスタに充填されて貯蔵される。
【０００４】
このような再処理施設にて、発生した高レベルの放射性廃棄物は、貯槽内に貯留されるものの、崩壊熱が発生することから、冷却装置により冷却する必要がある。この冷却装置は、貯槽内に配置される冷却器を有し、冷却水をポンプによりこの冷却器へ循環することで、貯槽内の高レベルの放射性廃棄物（廃液）を冷却している。ところで、この冷却装置は、ポンプの電源が安全系に接続されており、常用の電源装置が喪失しても非常用電源から電力が供給されるシステムとなっている。
【先行技術文献】
【特許文献】
【０００５】
【特許文献１】特開２０００−２２１２９７号公報
【発明の概要】
【発明が解決しようとする課題】
【０００６】
ところで、上述した再処理施設では、高レベルの放射性廃棄物が貯槽内に貯留され、冷却装置により冷却することで崩壊熱を除去する構成となっており、この冷却装置は、常用の電源装置が喪失しても、非常用電源から電力が供給されるように構成されている。しかし、非常用電源のバックアップ電源を設けることで、更なる安全性を確保することが望まれている。例えば、特許文献１に記載された使用済燃料利用発電システムにあっては、使用済燃料の熱エネルギにより非水蒸気低沸点媒体を昇温し、気体状となった非水蒸気低沸点媒体によりタービンを駆動し発電するようにしている。ところが、このシステムにあっては、非蒸気低沸点媒体を循環する配管だけでなく、燃料貯蔵プールの冷却水を循環するプール水循環設備が必要となり、装置が大掛かりなものとなってしまう。
【０００７】
本発明は、上述した課題を解決するものであり、装置の大型化を抑制しながらも放射性物質を適正に冷却することで安全性を向上可能とする放射性物質の冷却装置及び高レベル放射性廃棄物の冷却システムを提供することを目的とする。
【課題を解決するための手段】
【０００８】
上記の目的を達成するための本発明の放射性物質の冷却装置は、放射性物質を貯留する容器と、前記容器内に配置されて前記放射性物質の崩壊熱により低沸点媒体を蒸発可能な蒸発器と、前記蒸発器に対して前記低沸点媒体を循環可能なポンプを有する循環経路と、前記循環経路に設けられて気体となった前記低沸点媒体により駆動可能なタービンと、前記タービンの駆動力により発電可能であると共に発電した電力により前記ポンプを駆動可能な発電機と、を有することを特徴とするものである。
【０００９】
従って、容器に貯留された放射性物質から崩壊熱が発生すると、蒸発器の低沸点媒体がこの崩壊熱により蒸発し、気体となった低沸点媒体によりタービンが駆動し、このタービンの駆動力により発電機が発電し、発電した電力がポンプに供給されて駆動することとなり、循環経路により蒸発器に対して低沸点媒体を循環することができ、容器の放射性物質から適正に崩壊熱を除去して冷却することができる。この場合、蒸発器が容器内に配置されていることから、装置の大型化を抑制しながらも、放射性物質を適正に冷却することで安全性を向上することができる。
【００１０】
本発明の放射性物質の冷却装置では、前記循環経路は、前記タービンを駆動した後の前記低沸点媒体を冷却する凝縮器を有することを特徴としている。
【００１１】
従って、気体となった低沸点媒体は、タービンを駆動した後、凝縮器により冷却されることで、ポンプにより液化した低沸点媒体を適正に循環させることが可能となり、低沸点媒体が放射性物質の崩壊熱を適正に除去することができる。
【００１２】
本発明の放射性物質の冷却装置では、前記循環経路における前記ポンプより下流側に冷却器が設けられることを特徴としている。
【００１３】
従って、ポンプにより送られることで昇温した低沸点媒体が冷却器により冷却されてから蒸発器に供給されることで、低沸点媒体により放射性物質の崩壊熱を適正に除去することができる。
【００１４】
本発明の放射性物質の冷却装置では、前記発電機は、二次電池が接続されており、前記二次電池の電力により前記タービンを駆動可能であることを特徴としている。
【００１５】
従って、タービンは、起動時に所定の起動トルクを必要とするが、この起動時に二次電池の電力によりタービンを駆動することで、随時、タービンを駆動して低沸点媒体により放射性物質の崩壊熱を除去することができる。
【００１６】
本発明の放射性物質の冷却装置では、前記発電機は、前記タービンの駆動力により発電した電力を前記二次電池に蓄電可能であることを特徴としている。
【００１７】
従って、タービンは、起動した後、低トルクで駆動することができることから、タービンの駆動力により発電機が発電した電力を二次電池に蓄電することで、この電力を他の機器に供給することが可能となる。
【００１８】
本発明の放射性物質の冷却装置では、前記容器に貯留された前記放射性物質を冷却可能な冷却器が設けられ、前記冷却器の非常時に、前記発電機により前記タービンを駆動することを特徴としている。
【００１９】
従って、容器の放射性物質を冷却可能な冷却器の非常時に、発電機によりタービンを駆動することで、放射性物質を常時冷却することが可能となり、安全性を向上することができる。
【００２０】
本発明の放射性物質の冷却装置では、前記容器に貯留された前記放射性物質を冷却可能な冷却器が設けられ、前記冷却器の作動と併行して前記蒸発器により気体となった前記低沸点媒体によりタービンを駆動することを特徴としている。
【００２１】
従って、容器の放射性物質を冷却可能な冷却器の作動と併行して蒸発器により気体となった低沸点媒体によりタービンを駆動することで、前記タービンを起動するための電力を不要として装置の簡素化を可能とすることができる。
【００２２】
本発明の放射性物質の冷却装置では、前記放射性物質は、使用済核燃料の再処理工程で発生する高レベル放射性廃棄物であり、前記容器としての貯槽に貯留されることを特徴としている。
【００２３】
従って、高レベル放射性廃棄物の崩壊熱を蒸発器の低沸点媒体が蒸発することで除去することとなり、高レベル放射性廃棄物を適正に冷却することで安全性を向上することができる。
【００２４】
本発明の放射性物質の冷却装置では、前記放射性物質は、原子炉で使用された使用済核燃料であり、前記容器としての燃料貯蔵プールに貯留されることを特徴としている。
【００２５】
従って、使用済核燃料の崩壊熱を蒸発器の低沸点媒体が蒸発することで除去することとなり、使用済核燃料を適正に冷却することで安全性を向上することができる。
【００２６】
また、本発明の高レベル放射性廃棄物の冷却システムは、使用済核燃料の再処理工程で発生する高レベル放射性廃棄物を貯留する貯槽と、前記貯槽に貯留された高レベル放射性廃棄物を冷却可能な第１冷却装置と、前記第１冷却装置に電力を供給する電源装置と、前記電源装置の喪失時に前記第１冷却装置に電力を供給する非常用電源装置と、前記貯槽内に配置されて前記高レベル放射性廃棄物の崩壊熱により低沸点媒体を蒸発可能な蒸発器と、前記蒸発器に対して前記低沸点媒体を循環可能なポンプを有する循環経路と、前記循環経路に設けられて気体となった前記低沸点媒体により駆動可能なタービンと、前記タービンの駆動力により発電可能であると共に前記非常用電源装置の喪失時に前記ポンプを駆動可能な発電機と、を有することを特徴とするものである。
【００２７】
従って、電源装置及び非常用電源装置が喪失しても、蒸発器の低沸点媒体が高レベル放射性廃棄物の崩壊熱により蒸発し、気体となった低沸点媒体によりタービンが駆動し、このタービンの駆動力により発電機が発電し、発電した電力がポンプに供給されて駆動することとなり、循環経路により蒸発器に対して低沸点媒体を循環することができ、高レベル放射性廃棄物から適正に崩壊熱を除去して冷却することができる。この場合、蒸発器が貯槽内に配置されていることから、装置の大型化を抑制しながらも、高レベル放射性廃棄物を適正に冷却することで安全性を向上することができる。
【発明の効果】
【００２８】
本発明の放射性物質の冷却装置及び高レベル放射性廃棄物の冷却システムによれば、装置の大型化を抑制しながらも、放射性物質や高レベル放射性廃棄物を適正に冷却することで安全性を向上することができる。
【図面の簡単な説明】
【００２９】
【図１】図１は、本発明の実施例１に係る放射性物質の冷却装置を表す概略構成図である。
【図２】図２は、使用済核燃料の再処理工程を表す概略図である。
【図３】図３は、本発明の実施例２に係る放射性物質の冷却装置を表す概略構成図である。
【図４】図４は、本発明の実施例３に係る放射性物質の冷却装置を表す概略構成図である。
【図５】図５は、本発明の実施例４に係る放射性物質の冷却装置を表す概略構成図である。
【発明を実施するための形態】
【００３０】
以下に添付図面を参照して、本発明の放射性物質の冷却装置及び高レベル放射性廃棄物の冷却システムの好適な実施例を詳細に説明する。なお、この実施例により本発明が限定されるものではなく、また、実施例が複数ある場合には、各実施例を組み合わせて構成するものも含むものである。
【実施例１】
【００３１】
図１は、本発明の実施例１に係る放射性物質の冷却装置を表す概略構成図、図２は、使用済核燃料の再処理工程を表す概略図である。
【００３２】
実施例１の放射性物質の冷却装置は、使用済核燃料の再処理工程で発生した高レベル放射性廃棄物（廃液）を貯槽内で冷却するものである。
【００３３】
まず、使用済核燃料の再処理工程について説明する。この使用済核燃料の再処理工程は、図２に示すように、使用済核燃料の受入れ・貯蔵工程と、せん断・溶解工程と、分離工程と、精製工程と、脱硝工程と、製品貯蔵工程とから構成されている。
【００３４】
受入れ・貯蔵工程は、トラック１０１により搬送されたキャスク１０２を燃料プール１０３に投入し、冷却水内で使用済核燃料１０４を取り出して一時的に貯留するものである。せん断・溶解工程は、使用済核燃料１０４を燃料プール１０３から取り出し、せん断装置１０５によりせん断した後、溶解槽１０６に投入して溶解するものである。このせん断工程では、廃ガスが発生することから、図示しないが、発生した廃ガスは廃ガス処理装置へ送り出して処理している。そして、溶解工程では、溶解槽１０６に、硝酸１０７を貯留しており、この硝酸１０７により使用済核燃料１０４を溶解させることで、ウラン１０８、プルトニウム１０９、核分裂生成物（高レベル放射性廃棄物）１１０などの燃料溶解液を生成する。また、溶解工程では、遠心分離機などにより、硝酸１０７に溶解しないで燃料溶解液に含まれる被覆管などの不溶解残渣（異物）１１１を取り除き、この不溶解残渣１１１を所定の貯蔵容器に収容して保管する。
【００３５】
分離工程は、燃料溶解液から溶液として、ウラン溶液やプルトニウム溶液を分離するものである。具体的に、分離工程では、まず、ウラン溶液及びプルトニウム溶液から核分裂生成物（高レベル放射性廃棄物）１１０を取り除き、貯槽で冷却してからガラス材料により固化して保管する。そして、分離工程では、次に、ウラン溶液とプルトニウム溶液とを分離する。
【００３６】
精製工程は、ウラン溶液とプルトニウム溶液をそれぞれ硝酸ウラン溶液と硝酸プルトニウム溶液に精製すると共に、硝酸ウラン溶液の一部を硝酸プルトニウム溶液に混合して硝酸ウラン／プルトニウム溶液を精製するものである。この場合、精製した硝酸ウラン／プルトニウム溶液に対して富化度を調整している。脱硝工程は、硝酸ウラン溶液と硝酸ウラン／プルトニウム溶液を脱硝し、ウラン酸化物とウラン／プルトニウム混合酸化物を精製するものである。
【００３７】
製品貯蔵工程は、ウラン酸化物とウラン／プルトニウム混合酸化物をそれぞれ製品１１２，１１３として貯蔵する。その後、貯蔵したウラン酸化物とウラン／プルトニウム混合酸化物を適宜混合することで、装荷用燃料を製造することができる。
【００３８】
実施例１の放射性物質の冷却装置は、上述した使用済核燃料を再処理する過程で発生した核分裂生成物１１０、つまり、高レベル放射性廃棄物を冷却するものであり、高レベル放射性廃棄物の冷却システムの一部として利用されている。
【００３９】
実施例１の放射性物質の冷却装置が適用された高レベル放射性廃棄物の冷却システムにおいて、図１に示すように、貯槽（容器）１１は、密閉容器であって、内部に使用済核燃料の再処理工程で発生する高レベル放射性廃棄物（放射性物質の溶液）を貯留するものであり、図示しないが、高レベル放射性廃棄物を貯槽１１に供給する供給経路と、貯槽１１から高レベル放射性廃棄物を排出する排出経路が設けられている。
【００４０】
第１冷却装置１２は、この貯槽１１に貯留された高レベル放射性廃棄物を冷却可能なものであり、冷却器１３と、冷却水循環経路１４と、冷却水ポンプ１５と、熱交換器（冷却器）１６とから構成されている。冷却器１３は、貯槽１１の高レベル放射性廃棄物に浸漬されるように配置されており、冷却水循環経路１４が連結され、冷却水により高レベル放射性廃棄物の崩壊熱を除去して冷却するものである。冷却水ポンプ１５は、冷却水循環経路１４に設けられており、冷却水を冷却水循環経路１４に循環して冷却器１３に供給可能となっている。熱交換器１６は、冷却水循環経路１４を循環する冷却水を冷却するものであり、冷却水循環経路１４における冷却水ポンプ１５より冷却水の流れ方向の上流側に設けられている。この熱交換器１６は、循環経路１７と、ポンプ１８と、冷却ファン１９を有する冷却塔２０から構成されている。
【００４１】
電源装置２１と非常用電源装置２２が設けられており、電源切替装置２３に接続されている。この電源切替装置２３は、電源装置２１の電力または非常用電源装置２２の電力を、第１冷却装置１２、つまり、冷却水ポンプ１５、ポンプ１８、冷却ファン１９に選択的に供給可能となっている。即ち、電源切替装置２３は、電源装置２１の正常時に、この電源装置２１の電力を第１冷却装置１２に供給する。一方、電源装置２１の異常時（電源装置２１の喪失時）に、非常用電源装置２２の電力を第１冷却装置１２に供給する。
【００４２】
第２冷却装置３１は、貯槽１１に貯留された高レベル放射性廃棄物を冷却可能なものであり、蒸発器３２と、低沸点媒体循環経路３３と、低沸点媒体ポンプ３４と、凝縮器３５と、タービン３６、発電機３７とから構成されている。
【００４３】
蒸発器３２は、貯槽１１の高レベル放射性廃棄物に浸漬されるように配置されており、低沸点媒体循環経路３３が連結され、低沸点媒体により高レベル放射性廃棄物の崩壊熱を除去して冷却するものである。低沸点媒体ポンプ３４は、低沸点媒体循環経路３３に設けられており、低沸点媒体を低沸点媒体循環経路３３に循環して蒸発器３２に供給可能となっている。凝縮器３５は、低沸点媒体循環経路３３を循環する低沸点媒体を冷却して気体から液体にするものであり、低沸点媒体循環経路３３における低沸点媒体ポンプ３４より低沸点媒体の流れ方向の上流側に設けられている。この凝縮器３５は、循環経路３８と、ポンプ３９と、冷却器４０から構成されている。
【００４４】
この場合、凝縮器３５は、低沸点媒体としてのフロンガスやアンモニアガスなどにより貯槽１１に貯留された高レベル放射性廃棄物を冷却するものである。また、凝縮器３５は、蒸発して気体となった低沸点媒体を冷却水により冷却して液体に戻すものである。冷却器４０は、凝縮器３５で加熱された冷却水を海水により冷却するものであり、海水経路４１と、海水ポンプ４２とから構成されている。
【００４５】
タービン３６は、低沸点媒体循環経路３３に設けられて蒸発器３２により気体となった低沸点媒体により駆動可能となっている。発電機３７は、回転軸がタービン３６の回転軸と連結軸４３により連結されており、タービン３６の駆動力により発電可能となっている。
【００４６】
第２の非常用電源装置として使用される二次電池５１は、第１電力経路５２により発電機３７に接続されており、発電機３７を電動発動機として機能させることができる。即ち、二次電池５１は、発電機３７に電力を供給することでタービン３６を駆動することができる。また、発電機３７は、低沸点媒体により駆動するタービン３６の駆動力を受けて発電可能であり、二次電池５１は、発電機３７が発電した電力を蓄電することができる。
【００４７】
また、二次電池５１は、第２電力経路５３により第２冷却装置３１、つまり、低沸点媒体ポンプ３４、ポンプ３９、海水ポンプ４２に接続されている。即ち、二次電池５１は、蓄電されている電力、または、発電機３７が発電した電力により低沸点媒体ポンプ３４、ポンプ３９、海水ポンプ４２を駆動することができる。
【００４８】
そして、この第２冷却装置３１は、第１冷却装置１２（冷却器１３）の非常時に駆動するものである。第２冷却装置３１は、電源装置２１だけでなく、非常用電源装置２２の異常時、即ち、非常用電源装置２２の喪失時に駆動することで、貯槽１１に貯留された高レベル放射性廃棄物を適正に冷却することができるものである。
【００４９】
電源切替装置２３は、電源装置２１及び非常用電源装置２２の異常を検出する検出器５４が接続されている。一方、第１電力経路５２と第２電力経路５３は、開閉スイッチ５５，５６がそれぞれ設けられており、この各開閉スイッチ５５，５６は、通常、開放されている。従って、検出器５４は、電源切替装置２３から電源装置２１及び非常用電源装置２２の異常を検出すると、各開閉スイッチ５５，５６を閉止する。すると、二次電池５１は、第１電力経路５２から発電機３７に電力を供給し、この発電機３７によりタービン３６を駆動すると共に、第２電力経路５３から低沸点媒体ポンプ３４、ポンプ３９、海水ポンプ４２に電力を供給し、低沸点媒体循環経路３３から蒸発器３２に低沸点媒体を供給する。そのため、第２冷却装置３１が機能することで、貯槽１１の高レベル放射性廃棄物を冷却することができる。
【００５０】
この場合、検出器５４は、二次電池５１に接続されており、電源装置２１及び非常用電源装置２２が喪失しても、二次電池５１から電力が供給されて作動することができ、各開閉スイッチ５５，５６を開閉することができる。なお、検出器５４をなくし、各開閉スイッチ５５，５６をノーマルクローズ式の電磁弁とし、電源装置２１や非常用電源装置２２からの電力により開放状態に維持し、電源装置２１及び非常用電源装置２２が喪失したら、閉止するように構成してもよい。
【００５１】
ここで、実施例１の高レベル放射性廃棄物の冷却システムの作用について説明する。
【００５２】
実施例１の高レベル放射性廃棄物の冷却システムにおいて、電源装置２１が正常であるとき、電源切替装置２３は、電源装置２１の電力を冷却水ポンプ１５、ポンプ１８、冷却ファン１９に供給して作動させることで、第１冷却装置１２を機能させる。従って、冷却水ポンプ１５が作動することで、冷却水を冷却水循環経路１４に循環して冷却器１３に供給し、冷却器１３は、貯槽１１に貯留された高レベル放射性廃棄物を冷却する。また、このとき、冷却水循環経路１４を循環する冷却水は、熱交換器１６により冷却され、循環経路１７を循環する冷却水は冷却塔２０により冷却される。
【００５３】
そして、地震や津波などにより電源装置２１が損傷を受けて喪失すると、電源切替装置２３は、非常用電源装置２２の電力を冷却水ポンプ１５、ポンプ１８、冷却ファン１９に供給して作動させることで、第１冷却装置１２を機能させる。従って、前述と同様に、冷却水ポンプ１５が作動することで、冷却水を冷却水循環経路１４に循環して冷却器１３に供給し、冷却器１３は、貯槽１１に貯留された高レベル放射性廃棄物を冷却する。
【００５４】
更に、非常用電源装置２２が損傷を受けて喪失すると、電源切替装置２３は、電源装置２１及び非常用電源装置２２の異常を検出器５４に送信する。検出器５４は、電源切替装置２３から電源装置２１及び非常用電源装置２２の異常を検出すると、各開閉スイッチ５５，５６を閉止する。すると、二次電池５１は、電力を第１電力経路５２から発電機３７に供給すると共に、電力を第２電力経路５３から低沸点媒体ポンプ３４、ポンプ３９、海水ポンプ４２に供給する。
【００５５】
すると、タービン３６は、発電機３７の駆動力を受けて起動し、低沸点媒体ポンプ３４は、低沸点媒体を低沸点媒体循環経路３３から蒸発器３２に供給することで、第２冷却装置３１が機能する。即ち、蒸発器３２は、低沸点媒体循環経路３３から液化した低沸点媒体が供給されることで、この低沸点媒体により高レベル放射性廃棄物の崩壊熱を除去して冷却する。そのため、貯槽１１の高レベル放射性廃棄物は、崩壊熱が除去されることで冷却され、所定の温度に維持される。そして、蒸発器３２で蒸発して気化した低沸点媒体は、タービン３６を駆動回転した後、低沸点媒体循環経路３３を循環し、凝縮器３５により冷却されて気体から液体となる。この低沸点媒体循環経路３３を循環する低沸点媒体は、凝縮器３５により冷却され、循環経路３８を循環する冷却水は冷却器４０で海水により冷却される。
【００５６】
一方、タービン３６は、発電機３７の駆動力を受けて起動するが、その後、蒸発器３２で蒸発した低沸点媒体により駆動されるため、発電機３７は、二次電池５１から電力を受けずに駆動することで発電し、発電した電力が二次電池５１に蓄電される。そのため、二次電池５１の電力量が一定値に維持され、長期間にわたって電力を第２電力経路５３から低沸点媒体ポンプ３４、ポンプ３９、海水ポンプ４２に供給することが可能となり、第２冷却装置３１を機能させて高レベル放射性廃棄物を適正に冷却することができる。
【００５７】
このように実施例１の放射性物質の冷却装置にあっては、高レベル放射性廃棄物を貯留する貯槽１１と、この貯槽１１内に配置されて高レベル放射性廃棄物の崩壊熱により低沸点媒体を蒸発可能な蒸発器３２と、蒸発器３２に対して低沸点媒体を循環可能な低沸点媒体ポンプ３４を有する低沸点媒体循環経路３３と、低沸点媒体循環経路３３に設けられて気体となった低沸点媒体により駆動可能なタービン３６と、タービン３６の駆動力により発電可能であると共に発電した電力により低沸点媒体ポンプ３４を駆動可能な発電機３７とを設けている。
【００５８】
従って、貯槽１１に貯留された高レベル放射性廃棄物から崩壊熱が発生すると、蒸発器３２の低沸点媒体がこの崩壊熱により蒸発し、気体となった低沸点媒体によりタービン３６が駆動し、このタービン３６の駆動力により発電機３７が発電し、発電した電力が低沸点媒体ポンプ３４に供給されて駆動する。そのため、電源装置２１及び非常用電源装置２２が喪失しても、低沸点媒体循環経路３３により蒸発器３２に対して低沸点媒体を循環し、貯槽１１の高レベル放射性廃棄物から適正に崩壊熱を除去して冷却することができ、安全性を向上することができる。
【００５９】
この場合、第２冷却装置３１は、蒸発器３２を貯槽１１内に配置していることから、高レベル放射性廃棄物を循環する経路を不要とし、装置の大型化を抑制することができる。そして、高レベル放射性廃棄物を循環する経路を不要とすることから、この循環経路の破損による高レベル放射性廃棄物の漏洩を防止することができ、この点でも、安全性を向上することができる。
【００６０】
実施例１の放射性物質の冷却装置では、低沸点媒体循環経路３３にて、タービン３６を駆動した後の低沸点媒体を冷却する凝縮器３５を設けている。従って、気体となった低沸点媒体は、タービン３６を駆動した後、凝縮器３５により冷却されることで液化し、液化した低沸点媒体を低沸点媒体ポンプ３４により適正に循環させることが可能となり、低沸点媒体により高レベル放射性廃棄物の崩壊熱を適正に除去することができる。
【００６１】
実施例１の放射性物質の冷却装置では、発電機３７に二次電池５１を接続しており、この二次電池５１の電力によりタービン３６を駆動可能としている。従って、タービン３６は、起動時に所定の起動トルクを必要とするが、この起動時に、二次電池５１の電力が第１電力経路５２により供給されてタービン３６を駆動することで、随時、このタービン３６を駆動して低沸点媒体により高レベル放射性廃棄物の崩壊熱を除去することができる。
【００６２】
実施例１の放射性物質の冷却装置では、発電機３７は、タービン３６の駆動力により発電した電力を二次電池５１に蓄電可能としている。従って、タービン３６は、起動した後、低トルクで駆動することができることから、低沸点媒体により駆動することができ、タービン３６の駆動力により発電機３７が発電した電力を二次電池５１に蓄電することができ、この電力を他の機器に供給することが可能となる。
【００６３】
実施例１の放射性物質の冷却装置では、貯槽１１に貯留された高レベル放射性廃棄物を冷却可能な第１冷却装置１２（冷却器１３）が設けられ、この第１冷却装置１２の非常時に、発電機３７によりタービン３６を駆動し、第２冷却装置３１を駆動するようにしている。従って、第１冷却装置１２及び第２冷却装置３１により高レベル放射性廃棄物を常時冷却することが可能となり、安全性を向上することができる。
【００６４】
また、実施例１の高レベル放射性廃棄物の冷却システムにあっては、使用済核燃料の再処理工程で発生する高レベル放射性廃棄物を貯留する貯槽１１と、貯槽１１に貯留された高レベル放射性廃棄物を冷却可能な第１冷却装置１２と、第１冷却装置１２に電力を供給する電源装置２１と、電源装置２１の喪失時に第１冷却装置１２に電力を供給する非常用電源装置２２と、非常用電源装置２２の喪失時に作動可能な第２冷却装置３１を設けている。
【００６５】
従って、電源装置２１及び非常用電源装置２２が喪失しても、第２冷却装置３１が作動することで、高レベル放射性廃棄物を冷却することができる。即ち、電源装置２１及び非常用電源装置２２が喪失すると、検出器５４が二次電池５１の電力を発電機３７に供給してタービン３６を駆動する。また、二次電池５１の電力が低沸点媒体ポンプ３４に供給されて駆動し、低沸点媒体を低沸点媒体循環経路３３から蒸発器３２に供給する。すると、貯槽１１内の高レベル放射性廃棄物は、蒸発器３２の低沸点媒体により崩壊熱が除去されて冷却される。そのため、電源装置２１及び非常用電源装置２２が喪失しても、高レベル放射性廃棄物を適正に冷却することができ、安全性を向上することができる。
【００６６】
そして、蒸発器３２で高レベル放射性廃棄物の崩壊熱により蒸発して気体となった低沸点媒体は、タービン３６に送られてこれを駆動し、このタービン３６の駆動力により発電機３７が発電する。即ち、タービン３６は、起動後に低沸点媒体により駆動されるため、発電機３７は、二次電池５１から電力を受けずに駆動して発電することとなり、発電した電力を二次電池５１に蓄電し、二次電池５１の電力量を一定値に維持することができる。その結果、二次電池５１により長期間にわたって第２冷却装置３１を作動することができ、高レベル放射性廃棄物を適正に冷却することができる。また、二次電池５１は、余剰の電力を別の機器に供給することもできる。
【実施例２】
【００６７】
図３は、本発明の実施例２に係る放射性物質の冷却装置を表す概略構成図である。なお、上述した実施例と同様の機能を有する部材には、同一の符号を付して詳細な説明は省略する。
【００６８】
実施例２の放射性物質の冷却装置が適用された高レベル放射性廃棄物の冷却システムにおいて、図３に示すように、貯槽１１は、内部に使用済核燃料の再処理工程で発生する高レベル放射性廃棄物を貯留する。第１冷却装置１２は、冷却器１３と、冷却水循環経路１４と、冷却水ポンプ１５と、熱交換器１６とから構成されている。
【００６９】
電源装置２１と非常用電源装置２２が設けられており、電源切替装置２３に接続されている。この電源切替装置２３は、電源装置２１の電力または非常用電源装置２２の電力を、第１冷却装置１２、つまり、冷却水ポンプ１５、ポンプ１８、冷却ファン１９に選択的に供給可能となっている。即ち、電源切替装置２３は、電源装置２１の正常時に、この電源装置２１の電力を第１冷却装置１２に供給する。一方、電源装置２１の異常時（電源装置２１の喪失時）に、非常用電源装置２２の電力を第１冷却装置１２に供給する。
【００７０】
第２冷却装置６１は、貯槽１１に貯留された高レベル放射性廃棄物を冷却可能なものであり、蒸発器３２と、低沸点媒体循環経路３３と、低沸点媒体ポンプ３４と、凝縮器３５と、タービン３６、発電機３７とから構成されている。そして、発電機３７は、電力経路６２により低沸点媒体ポンプ３４、ポンプ３９、海水ポンプ４２に接続されている。即ち、発電機３７は、発電した電力により低沸点媒体ポンプ３４、ポンプ３９、海水ポンプ４２を駆動することができる。
【００７１】
この第２冷却装置６１は、第１冷却装置１２の作動と併行して作動するものである。即ち、電源装置２１や非常用電源装置２２の正常時、第１冷却装置１２が作動して貯槽１１に貯留された高レベル放射性廃棄物を冷却すると共に、第２冷却装置６１が低負荷で作動して貯槽１１に貯留された高レベル放射性廃棄物を冷却する。そして、電源装置２１だけでなく、非常用電源装置２２の異常時、即ち、非常用電源装置２２の喪失時に、第１冷却装置１２が停止するものの、第２冷却装置６１が高負荷で作動して貯槽１１に貯留された高レベル放射性廃棄物を冷却する。
【００７２】
従って、第２冷却装置６１にて、貯槽１１に貯留された高レベル放射性廃棄物から崩壊熱が発生すると、蒸発器３２の低沸点媒体がこの崩壊熱により蒸発し、気体となった低沸点媒体によりタービン３６が駆動し、このタービン３６の駆動力により発電機３７が発電し、発電した電力が低沸点媒体ポンプ３４に供給されて駆動する。そのため、低沸点媒体循環経路３３により蒸発器３２に低沸点媒体を循環することができ、貯槽１１の高レベル放射性廃棄物を冷却することができる。
【００７３】
このとき、電源装置２１や非常用電源装置２２が正常であれば、第１冷却装置１２が作動するため、蒸発器３２における低沸点媒体の蒸発量が少なくなり、タービン３６が低負荷で駆動し、発電機３７の発電量も低沸点媒体ポンプ３４などを駆動することができるだけの少量となる。一方、電源装置２１や非常用電源装置２２が喪失したら、第１冷却装置１２が停止するため、蒸発器３２における低沸点媒体の蒸発量が多くなり、タービン３６が高負荷で駆動し、発電機３７の発電量も増加する。
【００７４】
ここで、実施例２の高レベル放射性廃棄物の冷却システムの作用について説明する。
【００７５】
実施例２の高レベル放射性廃棄物の冷却システムにおいて、電源装置２１が正常であるとき、電源切替装置２３は、電源装置２１の電力を冷却水ポンプ１５、ポンプ１８、冷却ファン１９に供給して作動させることで、第１冷却装置１２を機能させる。従って、冷却水ポンプ１５が作動することで、冷却水を冷却水循環経路１４に循環して冷却器１３に供給し、冷却器１３は、貯槽１１に貯留された高レベル放射性廃棄物を冷却する。また、このとき、冷却水循環経路１４を循環する冷却水は、熱交換器１６により冷却され、循環経路１７を循環する冷却水は冷却塔２０により冷却される。
【００７６】
そして、地震や津波などにより電源装置２１が損傷を受けて喪失すると、電源切替装置２３は、非常用電源装置２２の電力を冷却水ポンプ１５、ポンプ１８、冷却ファン１９に供給して作動させることで、第１冷却装置１２を機能させる。従って、前述と同様に、冷却水ポンプ１５が作動することで、冷却水を冷却水循環経路１４に循環して冷却器１３に供給し、冷却器１３は、貯槽１１に貯留された高レベル放射性廃棄物を冷却する。
【００７７】
また、電源装置２１または非常用電源装置２２により第１冷却装置１２が作動しているとき、第２冷却装置６１が併行して作動する。即ち、蒸発器３２の低沸点媒体が高レベル放射性廃棄物の崩壊熱により蒸発し、気体となった低沸点媒体によりタービン３６が駆動し、このタービン３６の駆動力により発電機３７が発電し、発電した電力が低沸点媒体ポンプ３４に供給されて駆動する。そのため、第２冷却装置６１が低負荷で作動し、貯槽１１の高レベル放射性廃棄物を冷却することができる。
【００７８】
一方、非常用電源装置２２が損傷を受けて喪失すると、第１冷却装置１２による高レベル放射性廃棄物の冷却が停止する。そのため、第２冷却装置６１にて、蒸発器３２の低沸点媒体が高レベル放射性廃棄物の崩壊熱により蒸発するとき、この蒸発量が増加し、増加した低沸点媒体によりタービン３６の駆動力が増加し、このタービン３６の駆動力により発電機３７が発電するが、この発電量も増加する。そのため、発電した電力が低沸点媒体ポンプ３４に十分に供給されて駆動する。そのため、第２冷却装置６１が高負荷で作動し、貯槽１１の高レベル放射性廃棄物を適正に冷却することができる。
【００７９】
このように実施例２の放射性物質の冷却装置にあっては、貯槽１１に貯留された高レベル放射性廃棄物を冷却可能な第１冷却装置１２と第２冷却装置６１を設け、各電源装置２１，２２の正常時に、第１冷却装置１２の作動と併行して第２冷却装置６１を低負荷で作動し、電源装置２１，２２の喪失時に、第１冷却装置１２の停止に対して第２冷却装置６１を高負荷で作動するようにしている。
【００８０】
従って、電源装置２１，２２の正常時に、第２冷却装置６１を低負荷で作動しておくことで、電源装置２１，２２の喪失時に、第２冷却装置６１を起動するためのトルクに応じた電力を不要とすることができ、別途、二次電池などの電源を不要として装置の簡素化を可能とすることができる。
【実施例３】
【００８１】
図４は、本発明の実施例３に係る放射性物質の冷却装置を表す概略構成図である。なお、上述した実施例と同様の機能を有する部材には、同一の符号を付して詳細な説明は省略する。
【００８２】
実施例３の放射性物質の冷却装置が適用された高レベル放射性廃棄物の冷却システムにおいて、図４に示すように、貯槽１１は、内部に使用済核燃料の再処理工程で発生する高レベル放射性廃棄物を貯留する。第１冷却装置１２は、冷却器１３と、冷却水循環経路１４と、冷却水ポンプ１５と、熱交換器１６とから構成されている。
【００８３】
電源装置２１と非常用電源装置２２が設けられており、電源切替装置２３に接続されている。この電源切替装置２３は、電源装置２１の電力または非常用電源装置２２の電力を、第１冷却装置１２、つまり、冷却水ポンプ１５、ポンプ１８、冷却ファン１９に選択的に供給可能となっている。即ち、電源切替装置２３は、電源装置２１の正常時に、この電源装置２１の電力を第１冷却装置１２に供給する。一方、電源装置２１の異常時（電源装置２１の喪失時）に、非常用電源装置２２の電力を第１冷却装置１２に供給する。
【００８４】
第２冷却装置７１は、貯槽１１に貯留された高レベル放射性廃棄物を冷却可能なものであり、蒸発器３２と、低沸点媒体循環経路３３と、低沸点媒体ポンプ３４と、凝縮器３５と、タービン３６、発電機３７とから構成されている。また、第２冷却装置７１は、低沸点媒体循環経路３３における低沸点媒体ポンプ３４より低沸点媒体の流れ方向の下流側に冷却器７２が設けられている。凝縮器３５で凝縮された低沸点媒体を低沸点媒体ポンプ３４が圧縮して輸送すると、この低沸点媒体の温度が上昇する。そのため、冷却器７２は、低沸点媒体ポンプ３４により送り出された低沸点媒体を冷却して温度を低下させる。
【００８５】
なお、二次電池５１、第１電力経路５２、第２電力経路５３、検出器５４、開閉スイッチ５５，５６は、前述した実施例１と同様な構成であることから、ここでの説明は省略する。
【００８６】
従って、電源装置２１及び非常用電源装置２２が喪失すると、検出器５４は、各開閉スイッチ５５，５６を閉止し、二次電池５１は、電力を第１電力経路５２から発電機３７に供給すると共に、電力を第２電力経路５３から低沸点媒体ポンプ３４、ポンプ３９、海水ポンプ４２に供給する。
【００８７】
すると、タービン３６は、発電機３７の駆動力を受けて起動し、低沸点媒体ポンプ３４は、低沸点媒体を低沸点媒体循環経路３３から蒸発器３２に供給することで、第２冷却装置７１が機能する。即ち、蒸発器３２は、低沸点媒体循環経路３３から液化した低沸点媒体が供給されることで、この低沸点媒体により高レベル放射性廃棄物の崩壊熱を除去して冷却する。そのため、貯槽１１の高レベル放射性廃棄物は、崩壊熱が除去されることで冷却され、所定の温度に維持される。そして、蒸発器３２で蒸発して気化した低沸点媒体は、タービン３６を駆動回転した後、低沸点媒体循環経路３３を循環し、凝縮器３５により冷却されて気体から液体となる。液体となった低沸点媒体は、低沸点媒体ポンプ３４により圧送された後に冷却器７２により冷却されてから再び蒸発器３２に送られる。
【００８８】
このように実施例３の放射性物質の冷却装置にあっては、低沸点媒体循環経路３３における低沸点媒体ポンプ３４より下流側に冷却器７２を設けている。
【００８９】
従って、低沸点媒体は、低沸点媒体ポンプ３４により圧送されることで温度が上昇するが、冷却器７２により冷却されてから蒸発器３２に供給されることで、蒸発器３２は、低温の低沸点媒体により効果的に高レベル放射性廃棄物を冷却することができる。その結果、蒸発器３２は、低沸点媒体の蒸発量を増加することができ、発電機３７における発電効率を向上することができる。
【実施例４】
【００９０】
図５は、本発明の実施例４に係る放射性物質の冷却装置を表す概略構成図である。なお、上述した実施例と同様の機能を有する部材には、同一の符号を付して詳細な説明は省略する。
【００９１】
実施例４の放射性物質の冷却装置は、図５に示すように、原子炉建屋に設けられた燃料プール（容器）に格納されている使用済核燃料（放射性物質）を冷却するものである。
【００９２】
原子力発電所は、図５に示すように、燃料貯蔵プール８１が設けられており、この燃料貯蔵プール８１の内部に複数の核燃料貯蔵ラック８２が設置されている。この核燃料貯蔵ラック８２は、原子炉で使用された使用済核燃料（燃料集合体）を一時的に貯蔵するものである。
【００９３】
冷却装置９１は、燃料貯蔵プール８１に貯蔵された使用済の核燃料を冷却可能なものであり、蒸発器３２と、低沸点媒体循環経路３３と、低沸点媒体ポンプ３４と、凝縮器３５と、タービン３６、発電機３７とから構成されている。この場合、燃料貯蔵プール８１は、複数の核燃料貯蔵ラック８２が所定間隔で配置されており、蒸発器３２は、各核燃料貯蔵ラック８２の間やプール壁面と核燃料貯蔵ラック８２の間に配置することが望ましい。
【００９４】
二次電池９２は、第１電力経路９３により発電機３７に接続されており、発電機３７を電動発動機として機能させることができる。即ち、二次電池９２は、発電機３７に電力を供給することでタービン３６を駆動することができる。また、発電機３７は、低沸点媒体により駆動するタービン３６の駆動力を受けて発電可能であり、二次電池９２は、発電機３７が発電した電力を蓄電することができる。
【００９５】
また、二次電池９２は、第２電力経路９４により低沸点媒体ポンプ３４、ポンプ３９に接続されている。即ち、二次電池９２は、蓄電されている電力、または、発電機３７が発電した電力により低沸点媒体ポンプ３４、ポンプ３９を駆動することができる。
【００９６】
従って、二次電池９２は、電力を第１電力経路９３から発電機３７に供給すると共に、電力を第２電力経路９４から低沸点媒体ポンプ３４、ポンプ３９に供給する。すると、タービン３６は、発電機３７の駆動力を受けて起動し、低沸点媒体ポンプ３４は、低沸点媒体を低沸点媒体循環経路３３から蒸発器３２に供給することで、冷却装置９１が機能する。即ち、蒸発器３２は、低沸点媒体循環経路３３から液化した低沸点媒体が供給されることで、この低沸点媒体により使用済の核燃料の崩壊熱を除去して冷却する。そのため、燃料貯蔵プール８１の使用済の核燃料は、崩壊熱が除去されることで冷却され、所定の温度に維持される。そして、蒸発器３２で蒸発して気化した低沸点媒体は、タービン３６を駆動回転した後、低沸点媒体循環経路３３を循環し、凝縮器３５により冷却されて気体から液体となる。
【００９７】
一方、タービン３６は、発電機３７の駆動力を受けて起動するが、その後、蒸発器３２で蒸発した低沸点媒体により駆動されるため、発電機３７は、二次電池９２から電力を受けずに駆動することで発電し、発電した電力が二次電池９２に蓄電される。そのため、二次電池９２の電力量が一定値に維持され、長期間にわたって電力を第２電力経路９４から低沸点媒体ポンプ３４、ポンプ３９に供給することが可能となり、冷却装置９１を機能させて使用済の核燃料を適正に冷却することができる。
【００９８】
このように実施例４の放射性物質の冷却装置にあっては、使用済の核燃料を貯蔵する燃料貯蔵プール８１と、この燃料貯蔵プール８１内に配置されて使用済の核燃料から生じる崩壊熱により低沸点媒体を蒸発可能な蒸発器３２と、蒸発器３２に対して低沸点媒体を循環可能な低沸点媒体ポンプ３４を有する低沸点媒体循環経路３３と、低沸点媒体循環経路３３に設けられて気体となった低沸点媒体により駆動可能なタービン３６と、タービン３６の駆動力により発電可能であると共に発電した電力により低沸点媒体ポンプ３４を駆動可能な発電機３７とを設けている。
【００９９】
従って、燃料貯蔵プール８１に貯蔵された使用済の核燃料から崩壊熱が発生すると、蒸発器３２の低沸点媒体がこの崩壊熱により蒸発し、気体となった低沸点媒体によりタービン３６が駆動し、このタービン３６の駆動力により発電機３７が発電し、発電した電力が低沸点媒体ポンプ３４に供給されて駆動する。そのため、低沸点媒体循環経路３３により蒸発器３２に対して低沸点媒体を循環し、燃料貯蔵プール８１の使用済の核燃料から適正に崩壊熱を除去して冷却することができ、安全性を向上することができる。
【０１００】
なお、この実施例４では、冷却装置９１を常用の冷却装置として適用したが、使用済の核燃料が貯蔵された燃料貯蔵プール８１に対して、冷却水を循環可能な冷却装置を設け、冷却装置９１を非常用の冷却装置として機能させてもよい。
【０１０１】
また、上述した実施例１から３では、第２冷却装置３１，６１，７１を非常用の冷却装置として適用したが、常用の冷却装置として機能させてもよい。
【符号の説明】
【０１０２】
１１  貯槽（容器）
１２  第１冷却装置
１３  冷却器
２１  電源装置
２２  非常用電源装置
２３  電源切替装置
３１，６１，７１  第２冷却装置
３２  蒸発器
３３  低沸点媒体循環経路
３４  低沸点媒体ポンプ
３５  凝縮器
３６  タービン
３７  発電機
５１，９２  二次電池
５２，９３  第１電力経路
５３，９４  第２電力経路
５４  検出器
５５，５６  開閉スイッチ
６２  電力経路
７２  冷却器
８１  燃料貯蔵プール（容器）
９１  冷却装置
【図１】
2014081207.tif 000003
【図２】
2014081207.tif 000004
【図３】
2014081207.tif 000005
【図４】
2014081207.tif 000006
【図５】
2014081207.tif 000007